(57)【要約】【課題】ユーザの各々が記録した番組の見出し情報を個別に表示させることにより、ユーザが目的としている番組を容易に探し出すことが可能な記録再生装置を提供する。【解決手段】このビデオレコーダ（記録再生装置）１は、番組見出し一覧表示待機モードのときに、ビデオレコーダ１の識別情報入力ボタン１４ａ〜１４ｄまたはリモコン５００の識別情報入力ボタン５０３ａ〜５０３ｄのいずれかが操作されると、ＨＤＤ１１などに記録された番組のうちで、当該操作された識別情報入力ボタン１４ａ〜１４ｄまたは５０３ａ〜５０３ｄに係る識別情報に関連付けてＨＤＤ１１などに記録された番組の見出し情報をテレビ受像機４００に一覧表示させる見出し情報一覧表示制御部２４ｆを備えている。【選択図】図２
2007325169.tif 000002
【特許請求の範囲】
【請求項１】
テレビ放送を受信する受信手段と、
録画動作の開始日時、終了日時、チャンネルを含む録画予約情報を記憶する録画予約情報記憶手段と、
ユーザによる操作に応じて、前記録画予約情報記憶手段に録画予約情報を書き込む録画予約情報書込手段と、
前記録画予約情報記憶手段が記憶している録画予約情報に従って、前記受信手段が受信したテレビ放送の番組及びその見出し情報を記録媒体に記録する録画手段と、
前記録画予約情報書込手段がユーザによる操作に応じて前記録画予約情報記憶手段に録画予約情報を書き込むことが可能な録画予約モード、及び、前記記録媒体に記録された番組の見出し情報を表示装置に一覧表示させるための待機状態である番組見出し一覧表示待機モードの相互切り換えを、ユーザの操作に応じて行うモード切換手段と、
互いに異なる識別情報に係る複数の識別情報入力部と、
前記録画予約モードのときに前記複数の識別情報入力部のいずれかが操作されると、当該操作された識別情報入力部に係る識別情報を、録画予約情報に関連付けて前記録画予約情報記憶手段に書き込む録画予約識別情報書込手段と、
前記録画予約識別情報書込手段が前記識別情報入力部に係る識別情報を前記録画予約情報記憶手段に書き込んだ場合に、当該識別情報を、前記録画手段によって記録された番組に関連付けて前記記録媒体に記録する識別情報記録手段と、
前記番組見出し一覧表示待機モードのときに前記複数の識別情報入力部のいずれかが操作されると、前記記録媒体に記録された番組のうちで、当該操作された識別情報入力部に係る識別情報に関連付けて前記記録媒体に記録された番組の見出し情報を前記表示装置に一覧表示させる見出し情報一覧表示制御手段とを備えていることを特徴とする、記録再生装置。
【請求項２】
前記モード切換手段は、前記録画予約モード、前記番組見出し一覧表示待機モード、及び、前記録画予約情報記憶手段が記憶している録画予約情報を前記表示装置に一覧表示させるための録画予約一覧表示モードの相互切り換えを、ユーザの操作に応じて行うものであって、
前記録画予約一覧表示モードのときに前記複数の識別情報入力部のいずれかが操作されると、当該操作された識別情報入力部に係る識別情報に関連付けて前記録画予約情報記憶手段が記憶している録画予約情報を前記表示装置に一覧表示させる録画予約一覧表示制御手段をさらに備えていることを特徴とする、請求項１に記載の記録再生装置。
【請求項３】
前記識別情報入力部が、押下によって操作されるボタンとして形成されていることを特徴とする、請求項１又は２に記載の記録再生装置。
【請求項４】
前記ボタンは、前記記録媒体が収容された本体とは別体として形成されたリモートコントローラに設けられていることを特徴とする、請求項３に記載の記録再生装置。
【発明の詳細な説明】
【技術分野】
【０００１】
本発明は、記録再生装置に関し、特に、テレビ放送の番組を記録媒体に記録する録画手段を備えた記録再生装置に関する。
【背景技術】
【０００２】
近年、ハードディスク等の大容量の記録媒体を備えたビデオレコーダ（記録再生装置）が普及し、また、ＤＶＤや次世代大容量光ディスク（ＢＤ：Ｂｌｕ−ｒａｙ  Ｄｉｓｃなど）などの交換可能な記録媒体を利用することが可能なビデオレコーダが開発されている。このような大容量記録媒体や交換可能な記録媒体を利用可能なビデオレコーダは、非常に多くのテレビ番組などのコンテンツを記録することができることから、個人での使用のみならず、家族などの複数のユーザで使用することも可能である。
【０００３】
個人での使用もしくは複数のユーザでの使用のいずれの場合でも、上記のようなビデオレコーダでは、非常に多くの番組が記録されることから、希望の番組を再生して視聴する際に、記録済みの多くの番組の中から希望の番組を探して特定するのが困難であった。
【０００４】
そこで、従来では、複数のユーザの各々が、個々に設けられたフォルダに所望の番組を記録することにより、記録済みの番組を個別に管理することが可能なコンテンツ記録装置（記録再生装置）が提案されている（たとえば、特許文献１参照）。この特許文献１に開示されたコンテンツ記録装置では、図１５に示すように、ユーザ毎に設けられたフォルダに記録された番組のタイトルをリスト形式で一覧表示することが可能である。
【０００５】
【特許文献１】特開２００４−３９００３号公報
【発明の開示】
【発明が解決しようとする課題】
【０００６】
しかしながら、上記特許文献１に開示されたコンテンツ記録装置は、複数のユーザが記録した番組のタイトルを一覧表示するため、他のユーザが記録した番組のタイトルのリストを見ることが可能であるが、複数のユーザのリストが表示される分だけ、個々のユーザが記録した番組に関する情報を表示することが可能なスペースが制限される。そのため、このコンテンツ記録装置では、各番組の詳細な情報（記録日時、チャンネル、詳しい番組情報など）を表示することができないために、図１５のような一覧表示を見たユーザは、例えば連続ドラマのタイトルやサッカーの対戦チームなどの情報を確認することができず、所望の番組を探し出して視聴するのが困難になるという問題点がある。
【０００７】
この発明は、上記のような課題を解決するためになされたものであり、ユーザの各々が記録した番組の見出し情報を個別に表示させることにより、ユーザが目的としている番組を容易に探し出すことが可能な記録再生装置を提供することを目的とする。
【課題を解決するための手段および発明の効果】
【０００８】
上記目的を達成するために、この発明の記録再生装置は、テレビ放送を受信する受信手段と、録画動作の開始日時、終了日時、チャンネルを含む録画予約情報を記憶する録画予約情報記憶手段と、ユーザによる操作に応じて、録画予約情報記憶手段に録画予約情報を書き込む録画予約情報書込手段と、録画予約情報記憶手段が記憶している録画予約情報に従って、受信手段が受信したテレビ放送の番組及びその見出し情報を記録媒体に記録する録画手段とを備えている。さらに、この記録再生装置は、録画予約情報書込手段がユーザによる操作に応じて録画予約情報記憶手段に録画予約情報を書き込むことが可能な録画予約モード、及び、記録媒体に記録された番組の見出し情報を表示装置に一覧表示させるための待機状態である番組見出し一覧表示待機モードの相互切り換えを、ユーザの操作に応じて行うモード切換手段と、互いに異なる識別情報に係る複数の識別情報入力部とを備えている。また、記録再生装置は、録画予約モードのときに複数の識別情報入力部のいずれかが操作されると、当該操作された識別情報入力部に係る識別情報を、録画予約情報に関連付けて録画予約情報記憶手段に書き込む録画予約識別情報書込手段と、録画予約識別情報書込手段が識別情報入力部に係る識別情報を録画予約情報記憶手段に書き込んだ場合に、当該識別情報を、録画手段によって記録された番組に関連付けて記録媒体に記録する識別情報記録手段と、番組見出し一覧表示待機モードのときに複数の識別情報入力部のいずれかが操作されると、記録媒体に記録された番組のうちで、当該操作された識別情報入力部に係る識別情報に関連付けて記録媒体に記録された番組の見出し情報を表示装置に一覧表示させる見出し情報一覧表示制御手段とを備えている。なお、識別情報入力部は、本体にあってもよいし、本体と有線又は無線接続されるリモコンにあってもよい。リモコンに入力部が設けられる場合には、本発明の記録再生装置は、リモコンを含むものである。
【０００９】
この発明による記録再生装置では、上記のように、録画予約モードのときに、所定のユーザが複数の識別情報入力部の内から所定の識別情報入力部を操作しておけば、当該操作された識別情報入力部に係る識別情報が録画予約情報に関連付けて録画予約情報記憶手段に書き込まれる。これにより、録画手段は、その録画予約情報に従って番組を記録し、識別情報記録手段は、その記録された番組に関連付けて識別情報を記録媒体に記録する。これにより、番組見出し一覧表示待機モードのときに、複数の識別情報入力部のいずれかが操作されると、記録媒体に記録された番組のうちで、当該操作された識別情報入力部に係る識別情報に関連付けて記録媒体に記録された番組の見出し情報が表示装置に一覧表示される。そのため、その録画予約情報に従って記録された番組の見出し情報をユーザ毎に表示させることができる。その結果、１つの再生記録装置を複数のユーザで利用する場合でも、ユーザの各々が記録した番組の見出し情報を個別に表示させることができるので、そのユーザが目的としている番組を容易に探し出すことができる。
【００１０】
また、この記録再生装置では、番組見出し一覧表示待機モードのときの操作と、録画予約モードのときの操作とで異なる機能を有する識別情報入力部を設けることによって、同じ識別情報入力部を操作した場合でも、そのモードに応じた処理を行うことができる。これにより、各モード毎に識別情報入力部を設ける必要がないので、ユーザが操作するボタンなどの入力部が多くなるのを抑制することができる。その結果、簡素な構成の記録再生装置を得ることができるので、簡単な操作でこの記録再生装置を扱うことができる。
【００１１】
上記記録再生装置において、好ましくは、モード切換手段は、録画予約モード、番組見出し一覧表示待機モード、及び、録画予約情報記憶手段が記憶している録画予約情報を表示装置に一覧表示させるための録画予約一覧表示モードの相互切り換えを、ユーザの操作に応じて行うものである。そして、この記録再生装置は、録画予約一覧表示モードのときに複数の識別情報入力部のいずれかが操作されると、当該操作された識別情報入力部に係る識別情報に関連付けて録画予約情報記憶手段が記憶している録画予約情報を表示装置に一覧表示させる録画予約一覧表示制御手段をさらに備えている。このように構成すれば、所定の識別情報に関連付けられた録画予約情報を表示装置に一覧表示させることができる。その結果、各ユーザは、予約した録画予約情報を個別に確認することができる。
【００１２】
また、上記記録再生装置において、識別情報入力部が、押下によって操作されるボタンとして形成されている。このように構成すれば、ユーザはボタンを押すという簡単な操作で各モードにおける操作を行うことができる。
【００１３】
また、上記記録再生装置において、上記ボタンは、記録媒体が収容された本体とは別体として形成されたリモートコントローラに設けられていても良い。このように構成すれば、ユーザは遠隔操作で各モードにおける操作を行うことができる。
【発明を実施するための最良の形態】
【００１４】
以下、本発明を具体化した実施形態を図面に基づいて説明する。
【００１５】
図１は、本発明の一実施形態によるビデオレコーダの全体構成を示した斜視図であり、図２は、図１に示した一実施形態のビデオレコーダのブロック図である。また、図３は、図１に示した一実施形態によるビデオレコーダを遠隔操作するためのリモコンを示した平面図である。まず、図１〜図３を参照して、本発明の一実施形態によるビデオレコーダ１およびそのリモコン５００について詳細に説明する。
【００１６】
本実施形態のビデオレコーダ１には、種々のコンテンツ（テレビ番組など）を記録可能な大容量のハードディスク１１（図２参照）（以下、ＨＤＤと記載する）が内蔵されており、家族などの複数のユーザが使用した場合でも、各ユーザは記録した映画やスポーツなどのテレビ番組を個別に管理することが可能なように構成されている。また、ビデオレコーダ１は、ＤＶＤ２００やＢｌｕ−ｒａｙ  Ｄｉｓｃ３００（以下、ＢＤと記載する）に所望の番組を記録したり、ＤＶＤ２００やＢＤ３００に記録されたコンテンツ（映画など）を再生したりするディスク装置１２を備えている。ユーザは、番組の記録先として、ＨＤＤ１１、ＤＶＤ２００またはＢＤ３００を任意に選択することができる。そして、このビデオレコーダ１は、テレビ受像器４００と接続されて使用され、テレビ放送の番組以外にも、録画予約画面や予約確認画面などのビデオレコーダ１の操作画面がテレビ受像器４００に表示される。このビデオレコーダ１の前面には、図１に示すように、ビデオレコーダ１を起動するための主電源ボタン１３と、４つの識別情報入力ボタン１４ａ〜１４ｄとが設けられている。そして、識別情報入力ボタン１４ａ、１４ｂ、１４ｃおよび１４ｄは、それぞれ、識別情報「１」、「２」、「３」および「４」を入力する機能を有している。
【００１７】
リモコン５００（図３参照）は、上記したビデオレコーダ１を遠隔操作するとともに、ビデオレコーダ１に接続されるテレビ受像器４００を遠隔操作する機能を有している。このリモコン５００の上部側には、図３に示すように、ビデオレコーダ１を起動するための電源ボタン５０１やテレビ受像器４００の動作を制御するための各種ボタンを有するテレビ制御部５０２が設けられている。
【００１８】
そして、本実施形態では、テレビ制御部５０２の下側には、上記したビデオレコーダ１に設けられる識別情報入力ボタン１４ａ〜１４ｄと同様の機能を有する４つの識別情報入力ボタン５０３ａ〜５０３ｄが設けられている。つまり、識別情報入力ボタン５０３ａ、５０３ｂ、５０３ｃおよび５０３ｄは、それぞれ、識別情報「１」、「２」、「３」および「４」を入力する機能を有している。
【００１９】
また、識別情報入力ボタン５０３ａ〜５０３ｄの下側には、テレビ放送のチャンネルを選局するための１２個のチャンネル指定ボタン５０４や２つの選局ボタン５０５、電子番組表を表示させるＥＰＧボタン５０６およびＧコードを用いて録画予約する際に利用するＧコードボタン５０７が設けられている。
【００２０】
また、チャンネル指定ボタン５０４やＧコードボタン５０７の下側には、地上アナログ放送、地上デジタル放送、ＢＳ放送およびＣＳ放送を選択するための放送選択ボタン５０８やＤＶＤ、ＨＤＤおよびＢＤをそれぞれ選択するためのＤＶＤ選択ボタン５０９ａ、ＨＤＤ選択ボタン５０９ｂおよびＢＤ選択ボタン５０９ｃなどが設けられている。このＤＶＤ選択ボタン５０９ａ、ＨＤＤ選択ボタン５０９ｂおよびＢＤ選択ボタン５０９ｃは、番組の録画先を指定する場合や、読み出しの対象を指定する場合に使用される。
【００２１】
そして、リモコン５００の下部側には、決定ボタン５１０と、その決定ボタン５１０を囲むように配置されるカーソルボタン５１１と、再生されているコンテンツの動作を操作するための各種の操作ボタン５１２とが設けられている。その他にも、録画済みの番組を一括表示ための録画リストボタン５１３、各種のメニューを表示するためのメニューボタン５１４および予約確認ボタン５１５が設けられている。この予約確認ボタン５１５は、後述する記憶部２３の録画予約情報記憶部２３ａ（図２参照）に記憶される録画予約情報をテレビ受像器４００に一覧表示させる録画予約一覧表示モードにする機能を有している。
【００２２】
ビデオレコーダ１には、図２に示すように、上記したＨＤＤ１１やディスク装置１２に加えて、テレビ放送を受信するチューナ１５、そのテレビ放送のデータを一時的に格納するバッファ１６、および、ＨＤＤ１１に磁気データを書き込むとともにＨＤＤ１１に記録された磁気データを読み取る磁気ヘッド１７が設けられている。また、ビデオレコーダ１には、テレビ放送のデータを一定の規則に沿って符号化するＭＰＥＧエンコーダ１８と、ＭＰＥＧエンコーダ１８によって符号化されたデータを復元するＭＰＥＧデコーダ１９とが設けられており、これらは入出力インターフェース２０を介して、バッファ１６、磁気ヘッド１７およびディスク装置１２のＤＶＤ用の光ピックアップ１２ａ並びにＢＤ用の光ピックアップ１２ｂに接続されている。この入出力インターフェース２０は、上記した識別情報入力ボタン１４ａ〜１４ｄにも接続されており、識別情報入力ボタン１４ａ〜１４ｄから入力された識別情報「１」〜「４」を後述する制御部２４に送信する機能を有している。そして、ビデオレコーダ１には、テレビ受像器４００に接続された画像音声出力インターフェース２１と、リモコン５００から送信された赤外線データを受光する赤外線インターフェース２２と、各種のデータを記録可能な記憶部２３と、各部の動作を統括する制御部２４とが設けられている。また、記憶部２３は、ＲＡＭやフラッシュメモリなどから構成され、制御部２４は、ＣＰＵやＡＳＩＣなどから構成されている。
【００２３】
また、記憶部２３は、録画予約情報記憶部２３ａ、ＥＰＧデータ記憶部２３ｂおよびモード記憶部２３ｃを有している。また、制御部２４は、再生制御部２４ａ、録画制御部２４ｂ、チューナ制御部２４ｃ、モード切換部２４ｄおよびＥＰＧデータ書込部２４ｅから構成されている。再生制御部２４ａは、ＨＤＤ１１、ＤＶＤ２００およびＢＤ３００に記録される番組を再生する際に機能し、リモコン５００の操作ボタン５１２に対応する信号を受信して、テレビ受像器４００に表示される番組の動作を制御する。具体的には、再生制御部２４ａは、リモコン５００の操作ボタン５１２（例えば、再生ボタン）に対応する信号を受信して、磁気ヘッド１７の動作を制御する。そして、磁気ヘッド１７により読み出されたデータは、ＭＰＥＧデコーダ１９で復元されながら、画像音声出力インターフェース２１を介して、テレビ受像器４００に表示される。また、録画制御部２４ｂは、磁気ヘッド１７や光ピックアップ１２ａおよび１２ｂを制御して、テレビ放送の番組のデータをＨＤＤ１１やＤＶＤ２００およびＢＤ３００に記録する機能を有している。例えば、リモコン５００の図示しない録画ボタンが押下された場合に、その録画ボタンに対応する信号を受信した録画制御部２４ｂは、バッファ１６に格納されている番組のデータをＭＰＥＧエンコーダ１８を用いて符合化する。そして、録画制御部２４ｂは、磁気ヘッド１７を制御することにより、符合化した番組のデータをＨＤＤ１１に記録する。そして、再生制御部２４ａには、見出し情報一覧表示制御部２４ｆおよびＥＰＧデータ表示制御部２４ｇが設けられ、録画制御部２４ｂには、録画予約情報書込部２４ｈ、録画予約識別情報書込部２４ｉ、識別情報記録部２４ｊ、録画予約画面表示制御部２４ｋおよび録画予約一覧表示制御部２４ｌが設けられている。
【００２４】
録画予約情報記憶部２３ａは、放送日、録画開始時間、録画終了時間、チャンネル、録画モードおよび録画先から構成される録画予約情報を記録するために設けられており、後述する録画予約画面（図４および図５参照）で入力した録画予約情報が、録画制御部２４ｂの録画予約情報書込部２４ｈによって書き込まれる。そして、この録画予約情報記憶部２３ａに記憶されている録画予約情報に従って、録画制御部２４ｂが磁気ヘッド１７や光ピックアップ１２ａおよび１２ｂを制御することにより、ＨＤＤ１１やＤＶＤ２００およびＢＤ３００にテレビ放送の番組およびその見出し情報が記録される。なお、見出し情報は、番組の一場面を示すサムネイル画面、タイトル、録画日時、ジャンル、チャンネルおよび識別情報から選択される情報である。
【００２５】
ＥＰＧデータ記憶部２３ｂは、バッファ１６内に格納された電子番組表のデータを記憶する機能を有しており、チューナ１５により最新の電子番組表が受信される毎に、制御部２４のＥＰＧデータ書込部２４ｅによって、ＥＰＧデータ記憶部２３ｂに記憶される電子番組表が最新の電子番組表に逐次更新される。モード記憶部２３ｃは、制御部２４のモード切換部２４ｄによって切り換えられた各種モード（録画予約モード、番組見出し一覧表示待機モード、録画予約一覧表示モード）の状態を記憶するために設けられている。
【００２６】
録画制御部２４ｂの録画予約情報書込部２４ｈは、後述する録画予約画面（図４および図５参照）で入力した録画予約情報に基づいて、記憶部２３の録画予約情報記憶部２３ａに当該録画予約情報を書き込むために設けられている。また、録画予約識別情報書込部２４ｉは、録画予約情報書込部２４ｈがユーザによる操作に応じて録画予約情報記憶部２３ａに録画予約情報を書き込むことが可能な録画予約モードのときに、ビデオレコーダ１の識別情報入力ボタン１４ａ〜１４ｄまたはリモコン５００の識別情報入力ボタン５０３ａ〜５０３ｄが操作されると、当該操作された識別情報入力ボタン１４ａ〜１４ｄまたは５０３ａ〜５０３ｄに係る識別情報を、録画予約情報に関連付けて録画予約情報記憶部２３ａに書き込む機能を有している。また、識別情報記録部２４ｊは、録画予約識別情報書込部２４ｉが識別情報を録画予約情報記憶部２３ａに書き込んだ場合に、その識別情報を、ＨＤＤ１１、ＤＶＤ２００およびＢＤ３００（以下、ＨＤＤ１１などと記載する）に記録されている番組に関連付けてそのＨＤＤ１１などに記録する機能を有している。
【００２７】
また、録画予約画面表示制御部２４ｋは、リモコン５００のＥＰＧボタン５０６が操作されることにより表示された電子番組表から所定の番組を選択することによって表示される録画予約画面（図４および図５参照）をテレビ受像器４００に表示させる機能を有している。また、録画予約一覧表示制御部２４ｌは、リモコン５００の予約確認ボタン５１５が操作されることにより切り換わった録画予約一覧表示モードにおいて表示される予約確認画面（図６および図７参照）をテレビ受像器４００に表示させる機能を有している。
【００２８】
ここで、本実施形態では、再生制御部２４ａの見出し情報一覧表示制御部２４ｆは、ＨＤＤ１１などに記録された番組の見出し情報をテレビ受像器４００に一覧表示させるための待機状態である番組見出し一覧表示待機モードのときに、ビデオレコーダ１の識別情報入力ボタン１４ａ〜１４ｄまたはリモコン５００の識別情報入力ボタン５０３ａ〜５０３ｄが操作されると、ＨＤＤ１１などに記録された番組の内で、当該操作された識別情報入力ボタン１４ａ〜１４ｄおよび５０３ａ〜５０３ｄに係る識別情報に関連付けてＨＤＤ１１などに記録された番組の見出し情報をテレビ受像器４００に一覧表示させる機能を有している。
【００２９】
また、ＥＰＧデータ表示制御部２４ｇは、リモコン５００のＥＰＧボタン５０６が操作された場合に、そのＥＰＧボタン５０６に係る信号を受信して、記憶部２３のＥＰＧデータ記憶部２３ｂに記憶される最新の電子番組表のデータを用いて、テレビ受像器４００に電子番組表を表示する機能を有している。
【００３０】
モード切換部２４ｄは、ＨＤＤ１１などに記録された番組の見出し情報をテレビ受像器４００に一覧表示させるための待機状態である番組見出し一覧表示待機モードと、録画予約情報書込部２４ｈがユーザによる操作に応じて録画予約情報記憶部２３ａに録画予約情報を書き込むことが可能な録画予約モードと、記憶部２３の録画予約情報記憶部２３ａが記憶している録画予約情報をテレビ受像器４００に一覧表示させるための録画予約一覧表示モードとを相互切り換えするために設けられている。具体的には、モード切換部２４ｄは、ビデオレコーダ１の主電源ボタン１３およびリモコン５００の電源ボタン５０１が押下された起動時に、初期状態として番組見出し一覧表示待機モードを設定する。また、モード切換部２４ｄは、テレビ受像器４００に電子番組表が表示されている状態で、電子番組表の中から所望の番組を選択する際に使用されるリモコン５００の決定ボタン５１０（図３参照）が押下されたときに、録画予約モードに切り換える。そして、モード切換部２４ｄは、リモコン５００の予約確認ボタン５１５が押下されたときに、録画予約一覧表示モードに切り換える。なお、番組見出し一覧表示待機モードは、テレビ受像器４００にテレビ放送の番組が表示されている状態であり、録画予約モードは、録画予約画面（図４および図５参照）がテレビ受像器４００に表示されている状態であり、録画予約一覧表示モードは、予約確認画面（図６および図７参照）がテレビ受像器４００に表示されている状態である。
【００３１】
図４および図５は、所望の番組を録画する際に表示させる録画予約画面を示した図である。次に、図４および図５を参照して、録画予約画面１００ａについて詳細に説明する。なお、録画予約画面１００ａは、ＥＰＧボタン５０６を押下することにより表示された電子番組表の中から録画したい所望の番組がカーソルボタン５１１で選択された後、決定ボタン５１０が押下されることによって表示される。また、Ｇコードボタン５０７を押下した後、Ｇコードを入力した場合にも表示される。なお、図４の例では、リモコン５００のＥＰＧボタン５０６を押すことにより表示される電子番組表の内から所望の番組を選択することによって表示される録画予約画面１００ａを示しており、後述する識別情報入力欄１０７ａを除く各入力欄および各選択欄には、電子番組表から選択された番組に対応する情報が入力されている。
【００３２】
この録画予約画面１００ａの上段には、図４に示すように、テレビ放送の番組が放送される日を入力するための放送日入力欄１０１ａ（画面上では、「３月２４日（金）」）と、録画を開始する時間を入力するための録画開始時間入力欄１０２ａ（画面上では、「午後３：３０」）と、録画を終了する時間を入力するための録画終了時間入力欄１０３ａ（画面上では、「午後４：５５」）と、放送形態とそのチャンネルを指定するためのチャンネル入力欄１０４ａ（画面上では、「地上Ｄ  ６」）とが表示されている。また、録画予約画面１００ａの下段には、録画する番組の音質や画質を選択するための録画モード選択欄１０５ａ（画面上では、「ＳＰ」）と、録画先を選択するための録画先選択欄１０６ａ（画面上では、「ＨＤＤ」）と、識別情報入力欄１０７ａ（画面上では、空欄）とが表示されている。また、この他にも、予約確定ボタン１０８ａとキャンセルボタン１０９ａとが表示されている。
【００３３】
ユーザはリモコン５００のカーソルボタン５１１を利用して、上記した各入力欄および各選択欄を選択して、各種の情報を変更することが可能である。例えば、ユーザがリモコン５００のカーソルボタン５１１を用いて録画先選択欄１０６ａを選択した後、リモコンのＢＤ選択ボタン５０９ｃ（図３参照）を押した場合には、録画選択欄１０６ａに表示されている「ＨＤＤ」は「ＢＤ」に変更される。
【００３４】
また、本実施形態では、録画予約画面１００ａが表示された状態で、上記したビデオレコーダ１の識別情報入力ボタン１４ａ〜１４ｄまたはリモコン５００の識別情報入力ボタン５０３ａ〜５０３ｄが押下されると、当該操作された識別情報入力ボタン１４ａ〜１４ｄまたは識別情報入力ボタン５０３ａ〜５０３ｄに係る識別情報が識別情報入力欄１０７ａに入力される。具体的には、図４に示した状態からユーザがビデオレコーダ１の識別情報入力ボタン１４ｂを押すことにより、図５に示すように、その識別情報入力ボタン１４ｂに係る識別情報である「２」が識別情報入力欄１０７ａに入力される。この後、ユーザの操作により予約確定ボタン１０８ａが押下されることによって、上記した録画制御部２４ｂの録画予約情報書込部２４ｈが、録画予約情報記憶部２３ａに録画予約画面１００ａに入力された録画予約情報を書き込むとともに、録画予約識別情報書込部２４ｉが、識別情報「２」を、当該録画予約情報に関連付けて録画予約情報記憶部２３ａに書き込む。
【００３５】
図６および図７は、録画予約情報を確認する際に表示させる予約確認画面を示した図である。次に、図６および図７を参照して、予約確認画面１００ｂおよび１００ｃについて詳細に説明する。なお、図７に示した予約確認画面１００ｃは、リモコン５００の予約確認ボタン５１５が押下された録画予約一覧表示モードにおいて表示される。また、図６に示した予約確認画面１００ｂは、リモコン５００の予約確認ボタン５１５が押下された録画予約一覧表示モードにおいて、ビデオレコーダ１の識別情報入力ボタン１４ａまたはリモコン５００の識別情報入力ボタン５０３ａが押下されることによって表示される。
【００３６】
この予約確認画面１００ｂおよび１００ｃ（図６および図７参照）は、記憶部２３の録画予約情報記憶部２３ａに記憶された１０個の録画予約情報を表示可能に構成されている。そして、図６に示した予約確認画面１００ｂに表示される録画予約情報は、録画予約情報記憶部２３ａに記憶された録画予約情報の内で、識別情報「１」に関連付けられた録画予約情報である。この図６に示した予約確認画面１００ｂでは、録画予約情報として、放送日、録画開始時間、録画終了時間およびチャンネルが表示されている。
【００３７】
また、図７に示した予約確認画面１００ｃに表示される録画予約情報は、録画予約情報記憶部２３ａに記憶された録画予約情報であって、識別情報には関係なく、全ての録画予約情報が表示対象である。この図７に示した予約確認画面１００ｃでは、録画予約情報として、放送日、録画開始時間、録画終了時間、チャンネルおよび識別情報が表示されている。
【００３８】
図８〜図１１は、録画済みの番組の見出し情報が表示された録画リスト表示画面を示した図である。まず、図８および図９を参照して、テレビ受像器４００にテレビ放送が表示されている状態で、ビデオレコーダ１の識別情報入力ボタン１４ａ〜１４ｄまたはリモコン５００の識別情報入力ボタン５０３ａ〜５０３ｄが押下された場合に表示される録画リスト表示画面１００ｄおよび１００ｅについて詳細に説明する。
【００３９】
録画リスト表示画面１００ｄには、図８に示すように、ＨＤＤ１１などに記録された番組についての６個の見出し情報が表示されている。そして、図８に示した録画リスト表示画面１００ｄに表示される見出し情報は、ＨＤＤ１１などに記憶された番組の内で、識別情報「１」に関連付けてＨＤＤ１１などに記録された番組の見出し情報である。この図８に示した録画リスト表示画面１００ｄでは、見出し情報として、録画した番組の一場面を示す画像であるサムネイル画面、タイトル、録画日時、ジャンルおよびチャンネルが表示されている。そして、ユーザは、リモコン５００のカーソルボタン５１１を用いて所望のサムネイル画面を選択した後、決定ボタン５１０を押すことにより、その番組を再生することができる。また、より多くの見出し情報の中から番組を選択したい場合には、ユーザは、図８に示した録画リスト表示画面１００ｄが表示されている状態で、再び識別情報入力ボタン１４ａまたは識別情報入力ボタン５０３ａを押すことにより、図９に示した録画リスト表示画面１００ｅを表示させることができる。つまり、ユーザは、図８に示した録画リスト表示画面１００ｄを表示させる際に用いた識別情報入力ボタン１４ａまたは識別情報入力ボタン５０３ａと同じ識別情報入力ボタン１４ａまたは識別情報入力ボタン５０３ａを押すことにより、図９に示した録画リスト表示画面１００ｅを表示させている。
【００４０】
図９に示した録画リスト表示画面１００ｅには、ＨＤＤ１１などに記録された番組についての１０個の見出し情報が表示されている。そして、図９に示した録画リスト表示画面１００ｅに表示される見出し情報は、ＨＤＤ１１などに記憶された番組の内で、識別情報「１」に関連付けてＨＤＤ１１などに記録された番組の見出し情報である。この図９に示した録画リスト表示画面１００ｅでは、見出し情報として、タイトル、録画日時およびジャンルが表示されている。そして、ユーザは、リモコン５００のカーソルボタン５１１を用いて所望の見出し情報を選択した後、決定ボタン５１０を押すことにより、その番組を再生することができる。
【００４１】
次に、図１０および図１１を参照して、テレビ受像器４００の画面にテレビ放送が表示されている状態でリモコン５００の録画リストボタン５１３が押下された場合の録画リスト表示画面１００ｆおよび１００ｇについて詳細に説明する。
【００４２】
図１０および図１１に示した録画リスト表示画面１００ｆおよび１００ｇは、テレビ受像器４００の画面にテレビ放送が表示されているときに、ユーザによりリモコン５００の録画リストボタン５１３が押された場合に表示される画面であり、ＨＤＤ１１などに記録されている全ての番組が表示対象である。
【００４３】
録画リスト表示画面１００ｆには、図１０に示すように、ＨＤＤ１１などに記録された番組についての６個の見出し情報が表示されており、見出し情報として、サムネイル画面、タイトル、録画日時、ジャンルおよびチャンネルに加えて、識別情報が含まれている。また、より多くの見出し情報の中から所望の番組を選択したい場合には、ユーザは、図１０に示した録画リスト表示画面が表示されている状態で、再び録画リストボタン５１３を押すことにより、図１１に示した録画リスト表示画面１００ｇを表示させることができる。図１１に示した録画リスト表示画面１００ｇには、ＨＤＤ１１などに記録された番組についての１０個の見出し情報が表示されており、その見出し情報情報は、タイトル、録画日時、ジャンルおよび識別情報から構成されている。
【００４４】
そして、ユーザは、図１０および図１１のいずれの場合でも、リモコンのカーソルボタン５１１を利用して、所定の番組を選択した後、決定ボタン５１０を押すことにより、その番組を再生することが可能となる。なお、図１０および図１１に示した例では、各ユーザは、他のユーザが記録した番組の情報を確認することができるとともに、他のユーザが記録した番組を選択して視聴することもできる。
【００４５】
次に、図１２を参照して、記録再生装置１による電子番組表を利用した録画予約方法について説明する。図１２は、図１に示した一実施形態による記録再生装置による録画予約方法を示したフローチャートである。
【００４６】
まず、ステップＳ１１において、ビデオレコーダ１の主電源ボタン１３またはリモコン５００の電源ボタン５０１が押下されたか否かが判断される。具体的には、制御部２４が、主電源ボタン１３または電源ボタン５０１に対応する信号を受信したか否かを判断して、当該信号を受信した場合には、ビデオレコーダ１を起動する。ビデオレコーダ１が起動した初期状態で、モード切換部２４ｄは、番組見出し一覧表示待機モードを設定する。このとき、テレビ受像器４００には、チューナ１５が受信した所定の放送（地上アナログ放送、地上デジタル放送、ＢＳ放送あるいはＣＳ放送）の番組が表示されており、モード記憶部２３ｃには、モード切換部２４ｄが設定した番組見出し一覧表示待機モードの状態が書き込まれる。そして、ユーザによりリモコン５００の放送選択ボタン５０８が押下されることによって、その放送選択ボタン５０８に対応する信号が赤外線インターフェース２２を介してチューナ制御部２４ｃに供給され、当該信号を受信したチューナ制御部２４ｃは、所定の放送（地上アナログ放送、地上デジタル放送、ＢＳ放送あるいはＣＳ放送）を受信するようにチューナ１５を制御する。これにより、テレビ受像器４００に当該選択した放送の番組が表示される。そして、ステップＳ１２において、制御部２４により、リモコン５００のＥＰＧボタン５０６が押下されたのか否かが判断される。そして、ステップＳ１２において、ＥＰＧボタン５０６が押下された場合には、記憶部２３のＥＰＧデータ記憶部２３ｂに書き込まれた最新の電子番組表のデータを用いて、テレビ受像器４００に電子番組表を表示させる（ステップＳ１３）。そして、ステップＳ１４において、ユーザは、リモコン５００のカーソルキー５１１および決定ボタン５１０を用いて、画面に表示された電子番組表の内から録画したい所望の番組を選択する。これにより、ステップＳ１５において、録画制御部２４ｂの録画予約画面表示制御部２４ｋが画像出力インターフェースを介して、テレビ受像器４００の画面に図４に示した録画予約画面１００ａを表示させる。この際、モード切換部２４ｄは、上記した番組見出し一覧表示待機モードから録画予約モードに切り換えて、モード記憶部２３ｃには、モード切換部２４ｄが切り換えた録画予約モードの状態が書き込まれる。
【００４７】
そして、ステップＳ１６において、制御部２４により、ビデオレコーダ１の識別情報入力ボタン１４ａ〜１４ｄまたはリモコン５００の識別情報入力ボタン５０３ａ〜５０３ｄが押下されたか否かが判断される。このときに、モード記憶部２３ｃに記憶されたモードを参照して、モード記憶部２３ｃに記憶されるモードが録画予約モードであれば、識別情報入力ボタン１４ａ〜１４ｄまたは５０３ａ〜５０３ｄに係る識別情報が録画予約画面１００ａ（図５参照）の識別情報入力欄１０７ａに反映される。例えば、ビデオレコーダ１の識別情報入力ボタン１４ｂが押下され、モード記憶部２３ｃに録画予約モードが記憶されていれば、この識別情報入力ボタン１４ｂに係る識別情報「２」が入出力インターフェース２０を介して制御部２４に入力されて、当該識別情報「２」が録画予約画面１００ａの識別情報入力欄１０７ａに反映される。この後、ステップＳ１７において、制御部２４により、録画予約画面１００ａに表示される予約確定ボタン１０８ａが押されたか否かが判断される。そして、予約確定ボタン１０８ａが押されない場合には、ステップＳ１７の判断が繰り返される。
【００４８】
これに対して、ステップＳ１６において、識別情報入力ボタン１４ａ〜１４ｄまたは５０３ａ〜５０３ｄが押下されていない場合には、ステップＳ１８において、上記したステップＳ１７と同様に、制御部２４により、録画予約画面１００ａに表示される予約確定ボタン１０８ａが押されたか否かが判断される。そして、予約確定ボタン１０８ａが押されない場合には、ステップＳ１６の処理が再び行われる。
【００４９】
上記したステップＳ１７およびステップＳ１８において予約確定ボタン１０８ａが押下された場合は、録画予約情報書込部２４ｈによって録画予約情報が識別情報と関連付けて録画予約情報記憶部２３ａに書き込まれる（ステップＳ１９）。この後、処理がステップＳ１４に戻り、上記した一連の録画予約の処理が繰り返される。なお、図示および詳細な説明を省略するが、ステップＳ１２〜ステップＳ１９の各状態は、リモコン５００に設けられた解除ボタンなどが押下されると、いつでも、番組見出し一覧表示待機モードに戻ることができる。上記の例では、予約確定ボタン１０８ａが押下された場合に、録画制御部２４ｂの録画予約情報書込部２４ｈが、記憶部２３の録画予約情報記憶部２３ａに録画予約情報を書き込むとともに、録画予約識別情報書込部２４ｉが、識別情報「２」を、当該録画予約情報に関連付けて録画予約情報記憶部２３ａに書き込む。このようにして、録画予約が完了する。なお、ステップＳ１２において、ＥＰＧボタン５０６が押されず、かつ、ステップＳ２０において、ユーザによって他の操作が行われた場合には、録画予約は終了して、他の操作に応じた処理が実行される。なお、ステップＳ２０において、他の操作が行われない場合には、ステップＳ１２の処理に戻る。
【００５０】
次に、図１３を参照して、録画予約情報の確認方法について説明する。図１３は、図１に示した一実施形態による記録再生装置による録画予約情報の確認方法を示したフローチャートである。
【００５１】
まず、ステップＳ２１において、上記したステップＳ１１と同様にして、ビデオレコーダ１の主電源ボタン１３またはリモコン５００の電源ボタン５０１が押下されて、ビデオレコーダ１が起動する。ビデオレコーダ１が起動した初期状態で、モード切換部２４ｄは、番組見出し一覧表示待機モードを設定する。このとき、テレビ受像器４００には、チューナ１５が受信した所定の放送（地上アナログ放送、地上デジタル放送、ＢＳ放送あるいはＣＳ放送）の番組が表示されており、モード記憶部２３ｃには、モード切換部２４ｄが設定した番組見出し一覧表示待機モードの状態が書き込まれる。そして、ステップＳ２２において、リモコン５００の予約確認ボタン５１５が押下された場合には、予約確認ボタン５１５に対応する信号が赤外線インターフェース２２を介してモード切換部２４ｄに供給され、当該モード切換部２４ｄは、テレビ放送の番組が表示されている番組見出し一覧表示待機モードから録画予約一覧表示モードに切り換える。なお、録画予約一覧表示モードの状態は、記憶部２３のモード記憶部２３ｃに記憶され記憶部２３の録画予約情報記憶部２３ａが記憶している全録画予約情報を対象として、テレビ受像器４００の画面に録画予約情報を表示させる（ステップＳ２３）。そして、ステップＳ２４において、制御部２４により、ビデオレコーダ１の識別情報入力ボタン１４ａ〜１４ｄまたはリモコン５００の識別情報入力ボタン５０３ａ〜５０３ｄが押下されたか否かが判断される。そして、ステップＳ２４において、識別情報入力ボタン１４ａ〜１４ｄまたは５０３ａ〜５０３ｄが押下された場合には、押下された識別情報入力ボタン１４ａ〜１４ｄまたは５０３ａ〜５０３ｄに係る識別情報に関連付けられた録画予約情報がテレビ受像器４００に表示される（ステップＳ２５）。具体的には、記憶部２３のモード記憶部２３ｃが録画予約一覧表示モードの状態を記憶している場合に、ビデオレコーダ１の識別情報入力ボタン１４ａが押下されると、その識別情報入力ボタン１４ａに係る識別情報「１」が録画予約一覧表示制御部２４ｌ（図２参照）に供給されて、当該録画予約一覧表示制御部２４ｌは、録画予約情報記憶部２３ａ（図２参照）に記憶される識別情報「１」に関連付けられた録画予約情報をテレビ受像器４００に一覧表示（図６参照）させる。
【００５２】
これに対して、ステップＳ２４において、識別情報入力ボタン１４ａ〜１４ｄまたは５０３ａ〜５０３ｄが押下されていない場合には、全録画予約情報を対象とした録画予約情報の一覧表示が表示された状態で、ユーザによる録画予約情報の確認が終了するか否かが判断される（ステップＳ２６ａ）。ユーザによる録画予約情報の確認が終了する場合には、ユーザは、リモコン５００の予約確認ボタン５１５を再び押下して、処理をステップＳ２２に戻す。これに対して、録画予約情報の確認を終了しない場合には、ステップＳ２７ａにおいて、録画予約が選択されたか否かが判断される。そして、ユーザは、リモコン５００のカーソルキー５１１および決定ボタン５１０を用いて、画面に表示された録画予約情報の修正や変更を行う番組を選択した場合には、ステップＳ２８ａにおいて、録画予約の確認、修正および変更を行う。そして、修正が行われた場合には、修正が反映された録画予約情報の一覧表示が表示される。また、ステップＳ２７ａにおいて、録画予約が選択されない場合には、上記したステップＳ２４の判断が繰り返される。
【００５３】
そして、ステップＳ２５およびステップＳ２８ａにおいて、録画予約情報の一覧表示が表示された後、ユーザによる録画予約情報の確認が終了するか否かが判断される（ステップＳ２６ｂ）。ユーザによる録画予約情報の確認が終了する場合には、ユーザは、リモコン５００の予約確認ボタン５１５を再び押下して、処理をステップＳ２２に戻す。これに対して、録画予約情報の確認を終了しない場合には、ステップＳ２７ｂにおいて、録画予約が選択されたか否かが判断される。そして、ユーザは、リモコン５００のカーソルキー５１１および決定ボタン５１０を用いて、画面に表示された録画予約情報の修正や変更を行う番組を選択した場合には、ステップＳ２８ｂにおいて、録画予約の確認、修正および変更を行う。また、ステップＳ２７ｂにおいて、録画予約が選択されない場合およびステップＳ２８ｂが終了した場合には、ステップＳ２６ｂの処理に戻る。このようにして、録画予約情報の確認が完了する。なお、ステップＳ２２において、予約確認ボタンが押されず、ステップＳ２９において、ユーザによって他の操作が行われた場合には、録画予約確認は終了して、他の操作に応じた処理が実行される。なお、ステップＳ２９において、他の操作が行われない場合には、ステップＳ２２の処理に戻る。
【００５４】
次に、図１４を参照して、ＨＤＤ１１などに記録された録画済みの番組の再生方法について説明する。図１４は、図１に示した一実施形態による記録再生装置による録画済みの番組の再生方法を示したフローチャートである。
【００５５】
まず、ステップＳ３１において、上記したステップＳ１１と同様にして、ビデオレコーダ１の主電源ボタン１３またはリモコン５００の電源ボタン５０１が押下されて、ビデオレコーダ１が起動する。ビデオレコーダ１が起動した初期状態で、モード切換部２４ｄは、番組見出し一覧表示待機モードを設定する。このとき、モード記憶部２３ｃには、モード切換部２４ｄが設定した番組見出し一覧表示待機モードの状態が書き込まれる。この際、テレビ受像器４００には、チューナ１５が受信した所定の放送（地上アナログ放送、地上デジタル放送、ＢＳ放送あるいはＣＳ放送）の番組が表示されており、記憶部２３のモード記憶部２３ｃには、番組見出し一覧表示待機モードの状態が記憶されている。
【００５６】
そして、ステップＳ３２において、識別情報入力ボタン１４ａ〜１４ｄまたは５０３ａ〜５０３ｄが押下された場合には、押下された識別情報入力ボタン１４ａ〜１４ｄまたは５０３ａ〜５０３ｄに係る識別情報に関連付けられた番組の見出し情報がテレビ受像器４００に表示される（ステップＳ３３）。具体的には、記憶部２３のモード記憶部２３ｃが番組見出し一覧表示待機モードの状態を記憶している場合に、ビデオレコーダ１の識別情報入力ボタン１４ａが押下されると、その識別情報入力ボタン１４ａに係る識別情報「１」が再生制御部２４ａの見出し情報一覧表示制御部２４ｆに供給されて、当該見出し情報一覧表示制御部２４ｆは、ＨＤＤ１１などに記録される識別情報「１」に関連付けられた番組の見出し情報をテレビ受像器４００に一覧表示（図８参照）する。ここでは、ＨＤＤ１１などに記録される番組の見出し情報を用いて、その見出し情報をテレビ受像器４００に表示したが、番組の見出し情報を記憶部２３に記憶しておき、その記憶部２３に記憶される見出し情報をテレビ受像器４００に表示してもよい。
【００５７】
さらに、ステップＳ３４において、ステップＳ３２の処理で押下された識別情報入力ボタン１４ａ〜１４ｄまたは５０３ａ〜５０３ｄと同じ識別情報入力ボタン１４ａ〜１４ｄまたは５０３ａ〜５０３ｄが押下された場合には、ステップＳ３５において、図９に示した１０個の見出し情報を表示可能な録画リスト表示画面１００ｅがテレビ受像器４００に表示される。
【００５８】
これに対して、ステップＳ３２において、識別情報入力ボタン１４ａ〜１４ｄまたは５０３ａ〜５０３ｄが押下されていない場合には、ステップＳ３６において、制御部２４により、リモコン５００の録画リストボタン５１３が押されたか否かが判断される。そして、ステップＳ３６において、録画リストボタン５１３が押下された場合には、ＨＤＤ１１などに記録されている全ての番組を対象として、その番組の見出し情報がテレビ受像器４００の画面に表示される（ステップＳ３７）。具体的には、記憶部２３のモード記憶部２３ｃが番組見出し一覧表示待機モードの状態を記憶している場合に、録画リストボタン５１３が押下されると、その録画リストボタン５１３に係る信号が赤外線インターフェース２２を介して、再生制御部２４ａの見出し情報一覧表示制御部２４ｆに供給されて、当該見出し情報一覧表示制御部２４ｆは、ＨＤＤ１１などに記録される全て番組を対象として、番組の見出し情報をテレビ受像器４００に一覧表示（図１０参照）させる。
【００５９】
さらに、ステップＳ３８において、ステップＳ３６の処理で押下された録画リストボタン５１３が再び押下された場合には、ステップＳ３９において、図１１に示した１０個の見出し情報を表示可能な録画リスト表示画面１００ｇがテレビ受像器４００に表示される。
【００６０】
そして、ステップＳ３３、Ｓ３５、Ｓ３７およびＳ３９において、録画リストが表示された後、ステップＳ４０において、ユーザは、リモコン５００のカーソルキー５１１および決定ボタン５１０を用いて、テレビ受像器４００の画面に表示された録画リストの番組の見出し情報から視聴したい番組を選択する。これにより、ステップＳ４１において、再生制御部２４ａは、選択した番組を読み出すように磁気ヘッド１７や光ピックアップ１２ａおよび１２ｂを制御する。これにより、ＨＤＤ１１などから再生された番組が入出力インターフェース２０を介してＭＰＥＧデコーダ１９に入力されて、その番組のデータは、ＭＰＥＧデコーダ１９によって復元される。この後、復元されたデータは、画像音声出力インターフェース２１を介して、テレビ受像器４００に表示され、番組の再生が開始される。このようにして、ＨＤＤ１１などに記録された録画済みの番組の再生処理が完了する。この後、処理がステップＳ３２に戻り、上記した一連の再生処理が繰り返される。なお、ステップＳ３６において、録画リストボタン５１３が押されず、かつ、ステップＳ４２において、ユーザによって他の操作が行われた場合には、再生処理は終了して、他の操作に応じた処理が実行される。なお、ステップＳ４２において、他の操作が行われない場合には、ステップＳ３２の処理に戻る。
【００６１】
本実施形態では、上記のように、録画予約モードの状態がモード記憶部２３ｃに記録されているときに、所定のユーザが識別情報入力ボタン１４ａまたは５０３ａを操作しておけば、当該操作された識別情報入力ボタン１４ａまたは５０３ａに係る識別情報「１」が録画予約情報に関連付けて録画予約情報記憶部２３ａに書き込まれる。これにより、番組見出し一覧表示待機モードの状態がモード記憶部２３ｃに記録されているときに、識別情報入力ボタン１４ａおよび５０３ａが操作されると、ＨＤＤ１１などに記録された番組のうちで、当該操作された識別情報入力ボタン１４ａおよび５０３ａに係る識別情報「１」に関連付けてＨＤＤ１１などに記録された番組の見出し情報をテレビ受像器４００に一覧表示される。そのため、その録画予約情報に従って記憶された識別情報「１」に関連付けられた番組の見出し情報をユーザ毎に表示させることができる。その結果、１つのビデオレコーダ１を複数のユーザで利用する場合でも、ユーザの各々が記録した番組の見出し情報を個別に表示させることができるので、そのユーザが目的としている番組を容易に探し出すことができる。
【００６２】
また、本実施形態では、番組見出し一覧表示待機モードのときの操作と、録画予約モードのときの操作と、録画予約一覧表示モードのときの操作とで異なる機能を有する識別情報入力ボタン１４ａ〜１４ｄまたは５０３ａ〜５０３ｄを設けることによって、同じ識別情報入力ボタン１４ａ〜１４ｄまたは５０３ａ〜５０３ｄを操作した場合でも、そのモードに応じた処理を行うことができる。これにより、各モード毎に応じたボタンを設ける必要がないので、ユーザが操作するボタンが多くなるのを抑制することができる。その結果、簡素な構成のビデオレコーダ１を得ることができるので、簡単な操作でこのビデオレコーダ１を扱うことができる。
【００６３】
また、本実施形態では、番組見出し一覧表示待機モードの状態がモード記憶部２３ｃに記録されているときに、つまり、テレビ放送の番組がテレビ受像器４００に表示されているときに、識別情報入力ボタン１４ａ〜１４ｄおよび５０３ａ〜５０３ｄを操作するという簡単な操作で、当該操作された識別情報入力ボタン１４ａ〜１４ｄおよび５０３ａ〜５０３ｄに係る識別情報に関連付けられた番組の見出し情報をテレビ受像器４００に表示させることができる。その結果、このビデオレコーダ１では、煩雑な操作を行うことなく、自己が記録した番組の見出し情報を表示させることができる。
【００６４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６５】
例えば、上記実施形態では、識別情報入力ボタンをビデオレコーダとリモコンとの両方に設ける例を示したが、本発明はこれに限らず、ビデオレコーダまたはリモコンのいずれか一方にあってもよい。
【００６６】
また、上記実施形態では、表示装置であるテレビ受像器とビデオレコーダとを別個に設ける例を示したが、本発明はこれに限らず、ビデオレコーダの機能を有する表示装置であってもよい。
【００６７】
また、上記実施形態では、４つの識別情報入力ボタンをユーザ毎に使い分ける例を示したが、本発明はこれに限らず、１人のユーザが４つの識別情報入力ボタンを番組のジャンルなど毎に使い分けてもよい。
【００６８】
また、上記実施形態では、番組の記録先としてＨＤＤ、ＤＶＤおよびＢＤを選択できる構成であったが、本発明はこれに限らず、番組の記録媒体として、上記したＨＤＤ、ＤＶＤおよびＢＤだけでなく、メモリーカードなどを用いてもよい。
【００６９】
また、上記実施形態では、識別情報を入力するための識別情報入力ボタンを押下することにより操作するボタンにより構成する例を示したが、本発明はこれに限らず、リモコンに液晶画面やタッチパネルを設けて、その液晶画面やタッチパネルを用いて操作を行ってもよい。
【００７０】
また、上記実施形態では、モード切換部によって３種のモード（録画予約モード、番組見出し一覧表示待機モード、録画予約一覧表示モード）に切り換えられる例について説明したが、本発明はこれに限らず、録画予約情報を確認するための待機状態である録画予約一覧表示モードは、なくてもよい。
【００７１】
また、上記実施形態では、番組の予約を電子番組表を用いて行う場合について説明したが、本発明はこれに限らず、Ｇコード入力法か、開始時間などの逐次入力法であってもよい。
【図面の簡単な説明】
【００７２】
【図１】本発明の一実施形態によるビデオレコーダの斜視図である。
【図２】図１に示した一実施形態のビデオレコーダのブロック図である。
【図３】図１に示した一実施形態によるビデオレコーダを遠隔操作するためのリモコンを示した平面図である。
【図４】所望の番組を録画する際に表示させる録画予約画面を示した図である。
【図５】所望の番組を録画する際に表示させる録画予約画面を示した図である。
【図６】録画予約情報を確認する際に表示させる予約確認画面を示した図である。
【図７】録画予約情報を確認する際に表示させる予約確認画面を示した図である。
【図８】録画済みの番組の見出し情報が表示された録画リスト表示画面を示した図である。
【図９】録画済みの番組の見出し情報が表示された録画リスト表示画面を示した図である。
【図１０】録画済みの番組の見出し情報が表示された録画リスト表示画面を示した図である。
【図１１】録画済みの番組の見出し情報が表示された録画リスト表示画面を示した図である。
【図１２】図１に示した一実施形態による記録再生装置による録画予約方法を示したフローチャートである。
【図１３】図１に示した一実施形態による記録再生装置による録画予約情報の確認方法を示したフローチャートである。
【図１４】図１に示した一実施形態による記録再生装置による録画済みの番組の再生方法を示したフローチャートである。
【図１５】特許文献１に開示されたコンテンツ記録装置に記録された番組のタイトルをリスト形式で一覧表示した状態を示した図である。
【符号の説明】
【００７３】
１  ビデオレコーダ（記録再生装置）
１１  ＨＤＤ（記録媒体）
１２ａ、１２ｂ  光ピックアップ（録画手段）
１４ａ〜１４ｄ  識別情報入力ボタン（識別情報入力部）
１５  チューナ（受信手段）
１７  磁気ヘッド（録画手段）
２３ａ  録画予約情報記憶部（録画予約情報記憶手段）
２４ｂ  録画制御部（録画手段）
２４ｄ  モード切換部（モード切換手段）
２４ｆ  見出し情報一覧表示制御部（見出し情報一覧表示制御手段）
２４ｉ  録画予約識別情報書込部（録画予約情報書込手段）
２４ｊ  識別情報記録部（識別情報記録手段）
２４ｌ  録画予約一覧表示制御部（録画予約一覧表示制御手段）
５００  リモコン（リモートコントローラ）
５０３ａ〜５０３ｄ  識別情報入力ボタン（識別情報入力部）
【図１】
2007325169.tif 000003
【図２】
2007325169.tif 000004
【図３】
2007325169.tif 000005
【図４】
2007325169.tif 000006
【図５】
2007325169.tif 000007
【図６】
2007325169.tif 000008
【図７】
2007325169.tif 000009
【図８】
2007325169.tif 000010
【図９】
2007325169.tif 000011
【図１０】
2007325169.tif 000012
【図１１】
2007325169.tif 000013
【図１２】
2007325169.tif 000014
【図１３】
2007325169.tif 000015
【図１４】
2007325169.tif 000016
【図１５】
2007325169.tif 000017